(57)【特許請求の範囲】
【請求項１】
吊りボルトの上端にねじ止めする連結本体の上端部に設けられ、デッキプレートの蟻溝の一方側縁部内に係止する係止爪と、該連結本体に揺動自在に軸止された揺動体の上端部に設けられ、蟻溝の他方側縁部内に係止する揺動爪とを有し、連結本体の係止爪を蟻溝の一方側縁部に係合し、蟻溝の他方側縁部下面に揺動体を当接したときに揺動体が揺動するように設け、揺動した揺動体の揺動爪が蟻溝の他方側縁部内に係合した後に、連結本体から蟻溝の上端部に捩じ込まれた吊りボルトで蟻溝内の係止爪と揺動爪とを固定することを特徴とするデッキプレート用吊り金具。
【請求項２】
前記揺動体の揺動爪が蟻溝内に係合したときに、揺動した揺動体の位置を連結本体に仮止めする仮止部を、連結本体と揺動体との相接する側面相互に設けた請求項１記載のデッキプレート用吊り金具。
【請求項３】
吊りボルトの上端にねじ止めする連結本体の上端部に設けられ、デッキプレートの蟻溝の一方側縁部内に係止する係止爪と、該連結本体に揺動自在に軸止された揺動体の上端部に設けられ、蟻溝の他方側縁部内に係止する揺動爪とを有し、連結本体の係止爪を蟻溝の一方側縁部に係合し、連結本体から蟻溝の内部に捩じ込まれた吊りボルトで揺動体が揺動するように設け、揺動した揺動体の揺動爪が蟻溝の他方側縁部内に係合すると共に、連結本体から蟻溝の上端部に捩じ込まれた吊りボルトで蟻溝内の係止爪と揺動爪とを固定することを特徴とするデッキプレート用吊り金具。
【請求項４】
前記揺動体は、吊りボルトの上端部側面に当接する支持板を有し、吊りボルトの上端部で支持板を押し上げることで揺動体が揺動するように設けた請求項３記載のデッキプレート用吊り金具。
【請求項５】
前記揺動体は、吊りボルトの上端部が螺入する雌ネジを有し、該雌ネジに吊りボルトを捩じ込むことで揺動体が揺動するように設けた請求項３記載のデッキプレート用吊り金具。
【発明の詳細な説明】
【０００１】
【発明の属する技術分野】
本発明は、デッキプレートに吊りボルトを連結する際に用いるデッキプレート用吊り金具に係り、吊りボルトを吊り金具に締め付ける専用の工具がなくても容易に装着することができるデッキプレート用吊り金具に関する。
【０００２】
【従来の技術】
デッキプレートに吊りボルトを連結する際に用いる吊り金具のタイプとして特許文献１乃至特許文献４に示すタイプの金具が提案されている。
【０００３】
特許文献１は、吊りボルトを係止金具の底部のねじ穴部に螺合させ、吊りボルトの上端がデッキプレートに突き当たって回転できなくなるまでねじ込むことで、上部の係止部を左右に拡開し、この係止部をデッキプレートの下面の溝に嵌合させるタイプである。また、特許文献２も前記特許文献１と同じタイプであるが、デッキプレートの蟻溝のほか、Ｈ形鋼のフランジにも装着できるようにしたものである。
【０００４】
特許文献３は、掛止ナットを蟻溝に差し入れ、９０度回転することにより、掛止ナットの掛止鍔を蟻溝に引っ掛けてから、掛止ナットに吊りボルトを螺入し、その先端を蟻溝の天井に圧接するタイプである。このタイプでは、掛止鍔を蟻溝に引っ掛けた後で吊りボルトを取り付ける操作になるが、掛止鍔を蟻溝に掛けるときには、掛止ナットを装着したキャップを手指にて摘み、このキャップを押し上げながら９０度回転させるか、あるいは、掛止ナットを装着したキャップを吊りボルトの先に取り付け、この吊りボルトを操作して掛止ナットを蟻溝に挿入しながら９０度回転させて掛止鍔を蟻溝に係合する作業になる。
【０００５】
特許文献４は、デッキの蟻溝中に挿入された一対の掛止体の間に、吊りボルトを更に挿入すると、各掛止体は、吊りボルトに押されて外側に回動し、蟻溝に掛止体が係合するタイプである。この特許文献４では、掛止体の相対向する面に吊りボルトと螺合する雌ネジを形成する凹溝を形成している。そして一対の掛止体の間に、吊りボルトを挿入すると、掛止体凹溝の雌ネジに吊りボルトが係合するように設けられている。
【０００６】
【特許文献１】
実開平５‐９６２３５号公報
【特許文献２】
実公平７‐２３４５１号公報
【特許文献３】
実用新案登録第２５６２３６４号公報
【特許文献４】
特開平５‐２２２７９３号公報
【０００７】
【発明が解決しようとする課題】
ところが、特許文献１、２のタイプでは、係止金具の間に吊りボルトを強制的に挿入して係止金具を左右に拡開するものなので、吊りボルトを強制的に回転せしめる専用の工具が必要になっていた。この専用工具を高所で使用する場合は、作業上の危険が伴うと共に、作業者は常に専用工具の携帯が必要になっているので、運搬性の課題も残されていた。
【０００８】
特許文献３のタイプは、掛止ナットを装着したキャップを手指にて摘み、このキャップを押し上げながら９０度回転するか、あるいは、掛止ナットを装着したキャップを吊りボルトの先に取り付け、この吊りボルトを操作して掛止ナットを蟻溝に係止する作業になるので、掛止ナットの装着作業に手間を要するものである。しかも、このタイプは、掛止ナットのほかに、この掛止ナットを装着するキャップも必須の構成になることから、製造コストが高くなる不都合もあった。
【０００９】
特許文献４のタイプは、掛止体の間に吊りボルトを挿入することで掛止体が回転する構成を成している。そのため特許文献４は、掛止体の相対向する面に吊りボルトと螺合する雌ネジを有する凹溝を形成しているが、左右に開いた掛止体に吊りボルトをネジ止めするには、凹溝の位置や掛止体の拡開角度などに高い精度が要求されることになる。しかも、デッキの蟻溝中に、このような精度の高い掛止体を挿入する場合は、蟻溝の開口部とほぼ同じ幅の掛止体を蟻溝内に挿入する作業が必要になる。このような作業を床面から吊りボルトを操作して行う場合は、極めて難しい作業にならざるを得ない。
【００１０】
そこで、本発明は上述の課題を解消すべく創出されたもので、専用工具を用いなくともデッキプレートの蟻溝内に簡単に固定することができ、しかも、吊りボルトを利用して床面からでも容易に装着することが可能なデッキプレート用吊り金具の提供を目的とするものである。
【００１１】
【課題を解決するための手段】
上述の目的を達成すべく本発明の第１の手段は、吊りボルトＰの上端にねじ止めする連結本体１０の上端部に設けられ、デッキプレートＱの蟻溝Ｑ１の一方側縁部内に係止する係止爪１１と、該連結本体１０に揺動自在に軸止された揺動体２０の上端部に設けられ、蟻溝Ｑ１の他方側縁部内に係止する揺動爪２１とを有し、連結本体１０の係止爪１１を蟻溝Ｑ１の一方側縁部に係合し、蟻溝Ｑ１の他方側縁部下面に揺動体２０を当接したときに揺動体２０が揺動するように設け、揺動した揺動体２０の揺動爪２１が蟻溝Ｑ１の他方側縁部内に係合した後に、連結本体１０から蟻溝Ｑ１の上端部に捩じ込まれた吊りボルトＰで蟻溝Ｑ１内の係止爪１１と揺動爪２１とを固定することにある。
【００１２】
第２の手段は、揺動体２０の揺動爪２１が蟻溝Ｑ１内に係合したときに、揺動した揺動体２０の位置を連結本体１０に仮止めする仮止部１２、２２を、連結本体１０と揺動体２０との相接する側面相互に設けている。
【００１３】
これらの手段によると、一方の蟻溝Ｑ１に係止爪１１を係合した状態で吊りボルトＰ上端の連結本体１０を押し上げると、他方の蟻溝Ｑ１下面に当接した揺動体２０が揺動し、蟻溝Ｑ１内に揺動爪２１が係合する。そして、この状態を仮止部１２、２２が仮止めする。この後、係止爪１１と揺動爪２１との間に吊りボルトＰを捩じ込むことで、係止爪１１と揺動爪２１とが蟻溝Ｑ１の内部で固定されるものである。
【００１４】
第３の手段は、吊りボルトＰの上端にねじ止めする連結本体１０の上端部に設けられ、デッキプレートＱの蟻溝Ｑ１の一方側縁部内に係止する係止爪１１と、該連結本体１０に揺動自在に軸止された揺動体２０の上端部に設けられ、蟻溝Ｑ１の他方側縁部内に係止する揺動爪２１とを有し、連結本体１０の係止爪１１を蟻溝Ｑ１の一方側縁部に係止し、連結本体１０から蟻溝Ｑ１の内部に捩じ込まれた吊りボルトＰで揺動体２０が揺動するように設け、揺動した揺動体２０の揺動爪２１を蟻溝Ｑ１の他方側縁部内に係合すると共に、連結本体１０から蟻溝Ｑ１の上端部に捩じ込まれた吊りボルトＰで蟻溝Ｑ１内の係止爪１１と揺動爪２１とを固定することにある。
【００１５】
第４の手段の揺動体２０は、吊りボルトＰの上端部側面に当接する支持板２６を有し、吊りボルトＰの上端部で支持板２６を押し上げることで揺動体２０が揺動するように設けたことにある。
【００１６】
この手段では、一方の蟻溝Ｑ１に係止爪１１を係止した状態で、連結本体１０のねじ孔１３から蟻溝Ｑ１内に吊りボルトＰをねじ込むと、吊りボルトＰに接した支持板２６が揺動体２０を揺動させる。そして、蟻溝Ｑ１の上端部に至るまで吊りボルトＰを捩じ込むと、吊りボルトＰの側面に支持板２６が接した状態で揺動爪２１が固定されると共に、一方の蟻溝Ｑ１に予め係止していた係止爪１１も固定されるものである。
【００１７】
第５の手段の揺動体２０は、吊りボルトＰの上端部が螺入する雌ネジを有し、該雌ネジに吊りボルトＰを捩じ込むことで揺動体２０が揺動するように設けている。
【００１８】
この手段では、一方の蟻溝Ｑ１に係止爪１１を係止した状態で、連結本体１０のねじ孔１３から蟻溝Ｑ１内に吊りボルトＰをねじ込むと、揺動体２０の雌ネジに吊りボルトＰが螺入し、次第に揺動体２０を持ち上げるように揺動させるものである。この場合、吊りボルトＰを捩じ込む程に揺動爪２１と係止爪１１とが固定されて行き、蟻溝Ｑ１上端部に至るまで吊りボルトＰを捩じ込むと、これら揺動爪２１と係止爪１１とが完全に固定される。
【００１９】
【発明の実施の形態】
以下、図面を参照して本発明の実施の形態を詳細に説明する。本発明の基本構成は、吊りボルトＰの上端にねじ止めする連結本体１０と、この連結本体１０に揺動自在に設けられた揺動体２０とからなる（図２参照）。連結本体１０と揺動体２０とは連結軸３０にて連結される（図１参照）。そして、連結本体１０の上部に設けた係止爪１１と、揺動体２０の上部に設けた揺動爪２１とをデッキプレートＱの蟻溝Ｑ１に係合させた状態で連結本体１０に吊りボルトＰを懸吊するものである（図３参照）。
【００２０】
図示例全ての連結本体１０は、金属板体を略コ字状に屈曲したもので、吊りボルトＰが螺入するねじ孔１３を設けた底板１４と、この底板１４の両端部から上方に屈曲延長した一対の側板１５とから成る。側板１５には連結軸３０を挿通してネジ止めする挿通孔１７及びねじ孔１６を設けており、各側板１５の上端部に一対の係止爪１１を形成している。この係止爪１１は、デッキプレートＱの蟻溝Ｑ１の一方側縁部内に係合する。蟻溝Ｑ１に係止爪１１を係合させるには、吊りボルトＰを操作して、吊りボルトＰの上部にねじ止めした連結本体１０の係止爪１１を一方の蟻溝Ｑ１に係合させるものである。
【００２１】
揺動体２０は、連結本体１０に揺動自在に連結されている。図示の揺動体２０は、連結本体１０の側板１５相互に架設した連結軸３０に揺動自在に連結している。この揺動体２０は、連結本体１０と同様に金属板体を略コ字状に屈曲したもので、連結軸３０を貫通する貫通孔２３を開穿した一対の側板２５を設け、この側板２５の上部に揺動爪２１を形成している。また、この側板２５の間に支持板２６を設けている。
【００２２】
図１乃至図３に示す揺動体２０は、揺動体２０が蟻溝Ｑ１の側縁部下面に当接したときに揺動するもので、この揺動体２０の揺動に伴って蟻溝Ｑ１に揺動爪２１が係合する（図３参照）。すなわち、図示の揺動体２０は、連結軸３０を中心にして左右に回転するように揺動爪２１と当接部２７とが配置されている（同図イ参照）。揺動爪２１は、吊りボルトＰがわに配置され、当接部２７は連結軸３０より外側に配置されている。図示の当接部２７は、揺動体２０の側板２５から突出する角形状を成している。そして、この当接部２７の頂部を蟻溝Ｑ１の側縁部下面に当てた状態で更に連結本体１０を持ち上げると、揺動体２０が連結軸３０を中心として回転し（同図ロ参照）、吊りボルトＰ側に位置した揺動爪２１が蟻溝Ｑ１の内部に係合する（同図ハ参照）。このとき、連結本体１０と揺動体２０との相接する側面相互に設けた仮止部１２、２２が係止して揺動体２０を連結本体１０に仮止めする。この状態から更に吊りボルトＰを捩じ込むことで、揺動爪２１と係止爪１１とが蟻溝Ｑ１内に固定される（図ニ参照）。
【００２３】
図示の仮止部１２、２２は、連結本体１０の側板１５に孔状の仮止部１２を設け、揺動体２０の側板２５に凸状の仮止部２２を設けたものである（図２参照）。この仮止部１２、２２において凹凸の位置を逆にしてもよく、また図示例に限定されるものでもない。
【００２４】
図４乃至図１０に示す揺動体２０は、当接部２７を用いずに、連結本体１０から蟻溝Ｑ１の内部に捩じ込まれた吊りボルトＰで揺動体２０が揺動するように設けたものである。
【００２５】
すなわち、図４乃至図６の揺動体２０は、金属板体を略コ字状に屈曲したもので、連結軸３０を貫通する一対の側板２５と、この側板２５の上部に設けた揺動爪２１と、側板２５の間に形成した支持板２６とからなる（図５参照）。そして、図６に示すごとく、支持板２６を吊りボルトＰの上端部で押し上げることで（同図イ参照）、揺動体２０が揺動するように設けている（同図ロ参照）。図示の側板２５には折返部２８が設けられている（図４参照）。この折返部２８は、揺動爪２１が蟻溝Ｑ１内に係合したときに、連結本体１０の側板１５に係合するもので、揺動体２０の過剰な回転を防止している（同図ハ参照）。
【００２６】
図７及び図８に示す揺動体２０は、主に、前述の図４乃至図６に示す揺動体２０の支持板２６の形状を変えたものである。すなわち、この支持板２６は、図８に示すごとく、吊りボルトＰ側に配置するのではなく、揺動体２０の下がわに配置されている（同図イ参照）。更に、この支持板２６の吊りボルトＰがわを切欠いて屈曲した状態で、支持板２６に略直角に立設するガイド片２４を設けたものである。そして、吊りボルトＰの上端部を支持板２６の切欠き部分に挿通し（同図ロ参照）、吊りボルトＰの上端部でガイド片２４を押し上げることで揺動体２０が揺動する（同図ハ参照）。吊りボルトＰを蟻溝Ｑ１の上端まで捩じ込むと、吊りボルトＰの側面にガイド片２４が接した状態で固定される（同図ニ参照）。
尚、図示の連結軸３０は、左右に一対用いられ、各側板１５、２５をそれぞれ連結するものである（図７参照）。
【００２７】
図９及び図１０に示す揺動体２０は、前述した図７及び図８に記載の支持板２６の構成を更に変更したものである。すなわち、支持板２６の吊りボルトＰがわに、吊りボルトＰの上端部が螺入する雌ネジを設け（同図イ参照）、該雌ネジに吊りボルトＰを捩じ込むことで（同図ロ、ハ参照）、揺動体２０が揺動するように設けている（同図ニ参照）。このとき、雌ネジは、吊りボルトＰ側に配されており、この雌ネジよりも外側に位置した連結軸３０を中心として揺動するものである。
【００２８】
【発明の効果】
本発明は、上述の如く構成したことにより、当初の目的を達成する。
【００２９】
すなわち、連結本体１０の係止爪１１を蟻溝Ｑ１の一方側縁部に係止し、蟻溝Ｑ１の他方側縁部下面に揺動体２０を当接したときに揺動体２０が揺動するように設け、揺動した揺動体２０の揺動爪２１を蟻溝Ｑ１の他方側縁部内に係止するので、吊りボルトを利用して床面からでも容易に装着することが可能になった。
【００３０】
しかも、係止爪１１と揺動爪２１とを蟻溝Ｑ１に係止した後で、連結本体１０から蟻溝Ｑ１の内に捩じ込まれた吊りボルトＰで蟻溝Ｑ１内の係止爪１１と揺動爪２１とを固定するので、専用工具を用いなくともデッキプレートの蟻溝内に簡単に固定することができる。
【００３１】
さらに、揺動体２０の揺動爪２１が蟻溝Ｑ１内に係止したときに、揺動した揺動体２０の位置を連結本体１０に仮止めする仮止部１２、２２を、連結本体１０と揺動体２０との相接する側面相互に設けているので、蟻溝Ｑ１内に、係止爪１１と揺動爪２１とを係止した状態で仮止めすることができ、吊りボルトＰの捩じ込み操作も極めて容易に行えるものである。
【００３２】
また、連結本体１０の係止爪１１を蟻溝Ｑ１の一方側縁部に係止し、連結本体１０から蟻溝Ｑ１の内部に捩じ込まれた吊りボルトＰで揺動体２０が揺動するように設け、揺動した揺動体２０の揺動爪２１を蟻溝Ｑ１の他方側縁部内に係止することにより、吊りボルトＰの捩じ込み操作に伴って揺動爪２１を蟻溝Ｑ１に係合させることができる。
【００３３】
さらに、吊りボルトＰの上端部側面に当接する支持板２６を設け、吊りボルトＰの上端部で支持板２６を押し上げることで揺動体２０が揺動するように設けた場合は、蟻溝Ｑ１内に挿入された吊りボルトＰの位置に伴って揺動体２０が揺動するので、揺動体２０の構成を比較的簡単な構成にすることができる。
【００３４】
また、揺動体２０に吊りボルトＰの上端部が螺入する雌ネジを設け、該雌ネジに吊りボルトＰを捩じ込むことで揺動体２０が揺動するように設けた場合は、回転する吊りボルトＰが雌ネジを介して揺動体２０を揺動させるので、蟻溝Ｑ１内に揺動爪２１を確実に係止させることができる。
【００３５】
このように、本発明によると、専用工具を用いなくともデッキプレートの蟻溝内に簡単に固定することができ、しかも、吊りボルトを利用して床面からでも容易に装着することが可能になるなどといった有益な種々の効果を奏するものである。
【図面の簡単な説明】
【図１】本発明の一実施例を示す斜視図。
【図２】本発明の一実施例を示す分解斜視図。
【図３】本発明の装着状態を示す側断面図。
【図４】本発明の他の実施例を示す斜視図。
【図５】本発明の他の実施例を示す分解斜視図。
【図６】本発明の他の実施例における装着状態を示す側断面図。
【図７】本発明の他の実施例を示す斜視図。
【図８】本発明の他の実施例における装着状態を示す側断面図。
【図９】本発明の他の実施例を示す斜視図。
【図１０】本発明の他の実施例における装着状態を示す側断面図。
【符号の説明】
Ｐ  吊りボルト
Ｑ  デッキプレート
Ｑ１  蟻溝
１０  連結本体
１１  係止爪
１２  仮止部
１３  ねじ孔
１４  底板
１５  側板
１６  ねじ孔
１７  挿通孔
２０  揺動体
２１  揺動爪
２２  仮止部
２３  貫通孔
２４  ガイド片
２５  側板
２６  支持板
２７  当接部
２８  折返部
２９  挿通孔
３０  連結軸
【図１】
0003702447.tif 000002
【図２】
0003702447.tif 000003
【図３】
0003702447.tif 000004
【図４】
0003702447.tif 000005
【図５】
0003702447.tif 000006
【図６】
0003702447.tif 000007
【図７】
0003702447.tif 000008
【図８】
0003702447.tif 000009
【図９】
0003702447.tif 000010
【図１０】
0003702447.tif 000011